(57)【要約】【課題】本発明は、被写体を捉えて画像信号を生成する撮影装置に関し、薄型化を確保しつつ部品点数を削減する。【解決手段】画像信号に基づく画像を表示するＬＣＤユニット１７と、ＬＣＤユニットが配備された面と同一の面に配備された、複数の操作キーが並んだキーユニット１６と、キーユニットの操作を検出する検出スイッチが配備された、キーユニット背面に広がるフレキシブル基板１８と、ＬＣＤユニット１７を押えるとともにフレキシブル基板１８の裏打ちを兼ねる押さえ板１９とを備えた。【選択図】        図３
2006246074.tif 000002
【特許請求の範囲】
【請求項１】
被写体を捉えて画像信号を生成する撮影装置において、
画像信号に基づく画像を表示する画像表示ユニットと、
前記画像表示ユニットが配備された面と同一の面に配備された、複数の操作キーが並んだキーユニットと、
前記キーユニットの操作を検出する検出スイッチが配備された、該キーユニット背面に広がるフレキシブル基板と、
前記画像表示ユニットを押えるとともに前記フレキシブル基板の裏打ちを兼ねた押さえ板とを備えたことを特徴とする撮影装置。
【請求項２】
前記押さえ板が板金加工により形成されたものであることを特徴とする請求項１記載の撮影装置。
【請求項３】
前記画像表示ユニットが、液晶を有し該液晶の配向の変化により画像を表示する液晶表示ユニットであることを特徴とする請求項１又は２記載の撮影装置。
【発明の詳細な説明】
【技術分野】
【０００１】
本発明は、被写体を捉えて画像信号を生成する、デジタルカメラ等の撮影装置に関する。
【背景技術】
【０００２】
近年、それぞれの写真フィルム上に写真撮影を行なうタイプのカメラに代わり、撮像素子を備えて画像データを生成するタイプのデジタルカメラが急速に普及してきている。
【０００３】
このデジタルカメラでは、通常、そのカメラの背面に、画像表示用のＬＣＤ（Ｌｉｇｕｉｄ  Ｃｒｙｓｔａｌ  Ｄｉｓｐｌａｙ）ユニットが配置され、また、その背面のＬＣＤユニットに隣接した位置に複数の操作キーが並んだキーユニットが配置されている。
【０００４】
図４は、従来のデジタルカメラの、ＬＣＤユニットおよびキーユニットの部分の分解斜視図である。
【０００５】
このカメラの背面を構成するリアカバー３４には、ＬＣＤユニット３５に表示された画像を視認するための開口であるＬＣＤ窓３４１やキーユニット３６に搭載された各種の操作キーをカメラ背面に多少突出させるための複数の開口３４２が形成されている。尚、ＬＣＤ窓３４１はその外側が透明なガラス板等からなる保護カバーで覆われているが、ここでは図示省略されている。
【０００６】
ＬＣＤユニット３５は、ＬＣＤ窓３４１の内側に配置され、その背面にＬＣＤ押さえ板３７が配置されてそのＬＣＤ押さえ板３７がリアカバー３４にビス止めされることによりＬＣＤユニット３５を固定している。このＬＣＤ押さえ板３７は板金加工により形成されたものである。
【０００７】
また、キーユニット３６の裏面側にはそのキーユニット３６に搭載された各種操作キーの操作を検出する検出スイッチが搭載されたフレキシブル基板（ＦＰＣ）３８が配置され、そのＦＰＣ３８の裏面にはさらにＦＰＣ裏打ち板３９が当てがわれてビス止めされ、キーユニット３６およびＦＰＣ３８がその位置関係を保った状態でリアカバー３４に向けて押さえられている。
【０００８】
この図４の構成の場合、ＬＣＤユニット３５側の組立部品とキーユニット３６側の組立部品は別々に構成されており、部品点数が多く組立にも時間がかかるという問題がある。
【０００９】
特許文献１には、操作基板とＬＣＤユニットを１枚の板金部品で保持する構造が示されている。しかしながらこの構造の場合、基板のような厚みのあるものをさらに板金で保持しており、カメラ内部に基板厚みと押さえ用の板金部品の厚みとの合計の厚み分だけのスペースを専有することとなり、薄型化の要請に反することになる。
【特許文献１】特開２００２−２１１４５６号公報
【発明の開示】
【発明が解決しようとする課題】
【００１０】
本発明は、上記事情に鑑み、薄型化を確保しつつ部品点数が削減された組立構造を備えた撮影装置を提供することを目的とする。
【課題を解決するための手段】
【００１１】
上記目的を達成する本発明の撮影装置は、被写体を捉えて画像信号を生成する撮影装置において、
画像信号に基づく画像を表示する画像表示ユニットと、
画像表示ユニットが配備された面と同一の面に配備された、複数の操作キーが並んだキーユニットと、
キーユニットの操作を検出する検出スイッチが配備された、キーユニット背面に広がるフレキシブル基板と、
画像表示ユニットを押えるとともにフレキシブル基板の裏打ちを兼ねた押さえ板とを備えたことを特徴とする。
【００１２】
ここで、本発明の撮影装置において、上記押さえ板が板金加工により形成されたものであることが好ましい。
【００１３】
また、本発明の撮影装置において、上記画像表示ユニットは、典型的には、液晶を有しその液晶の配向の変化により画像を表示する液晶表示ユニットである。
【発明の効果】
【００１４】
以上の本発明によれば、フレキシブル基板の裏打ち板を削減し、ＬＣＤ押さえ板と兼用した１枚の押さえ板を採用しているため、薄型化と部品点数の削減が達成される。
【発明を実施するための最良の形態】
【００１５】
以下、本発明の実施の形態について説明する。
【００１６】
図１、図２は、本発明の一実施形態としてのデジタルカメラの、それぞれ前面および背面を斜め上から見て示した斜視図である。
【００１７】
デジタルカメラ１０の前面には、カメラ本体から突出した繰出状態にあるレンズ鏡胴１００が示されている。このレンズ鏡胴１００は図１に示す繰出状態とその繰出状態の筒長よりも筒長を収縮させてカメラ本体内に収容された沈胴状態とを有する。
【００１８】
また、このレンズ鏡胴１００の内部には、焦点距離可変なズームレンズからなる撮影レンズ２００が備えられている。さらに、このデジタルカメラ１０の前面には、撮影時にフラッシュ光を発するフラッシュ発光部１１が備えられ、このデジタルカメラ１０の上面には、このデジタルカメラ１０に撮影指示を与えるシャッタボタン１２が配備されている。
【００１９】
また、このデジタルカメラ１０の図２に示す背面には、Ｔ／Ｗ（テレ／ワイド）切替レバー２１、撮影／再生切替ボタン２２、ファンクションボタン２３、４方向キー２４、ＯＫキー２５、およびＤＩＳＰ／ＢＡＣＫキー２６からなる各種操作キー、および画面表示用のＬＣＤユニット２７が配置されている。
【００２０】
このデジタルカメラ１０の外面は、大別してフロントカバー１３（図１参照）とリアカバー（図２参照）とで構成されており、リアカバー１４には、上記の各種操作キーやＬＣＤ２７に対応する部分に各開口が形成されており、各種操作キーは各開口から多少突出するようにしてカメラ内部に配置されている。またＬＣＤユニット２７は、表面は透明なガラス板等の保護カバーで開口が覆われており、ＬＣＤユニット２７自体はカメラ内部に配置されている。
【００２１】
また、各種操作キーは、カメラ内部に配置されたキーユニット上に備えられており、そのキーユニットがリアカバー１４の内側に配置され、各開口から各操作キーが背面に突出している。
Ｔ／Ｗ切替レバー２１は、撮影レンズの焦点距離切替用のレバーであり、また、撮影／再生切替ボタン２２は、１回押すごとにこのデジタルカメラ１０のモードを撮影モードと再生モードとに切り替えるためのボタンである。
【００２２】
さらにファンクションボタン２３は、これを押すとＬＣＤユニット２７上にメニューが表示される。その後４方向キー２４の左右ボタンでメニューを切り替え、４方向キー２４の上下ボタンでそのメニュー中のいずれかの項目を選択し、ＯＫボタン２５を押すことによりその選択した項目が設定される。この操作より、例えばＩＳＯ感度、フラッシュ発光の有無、その他撮影モードあるいは再生モード中の様々な項目の設定が行なわれる。
【００２３】
さらに、ＤＩＳＰ／ＢＡＣＫキー２６は、例えば再生モードにおいてＬＣＤユニット２７上に表示される画像の表示態様（１枚の画像のみ表示／複数枚のサムネイル画像を並べて表示など）を順次切り替えたり、表示画像を１つ前の画面に戻したりするときに押下するキーである。
【００２４】
図３は、図１、図２に示すデジタルカメラの、ＬＣＤユニットおよびキーユニットの部分の分解斜視図である。
【００２５】
このカメラの背面を構成するリアカバー１４には、ＬＣＤユニット１７に表示された画像を視認するための開口であるＬＣＤ窓１４１やキーユニット１６に搭載された各種の操作キーをカメラ背面に多少突出させるための複数の開口１４２が形成されている。尚、ＬＣＤ窓１４１はその外側が透明なガラス板等からなる保護カバーで覆われているが、ここでは図示省略されている。
【００２６】
ＬＣＤユニット１７は、ＬＣＤ窓１４１の内側に配置され、キーユニット１６はそのキーユニット１６に搭載された各操作キーが各開口に嵌入する位置に配置される。さらに、キーユニット１６の裏面側にはそのキーユニット１６に搭載された各種操作キー１８の操作を検出する検出スイッチが搭載されたフレキシブル基板（ＦＰＣ）１８が配置される。
【００２７】
ＬＣＤユニット１７の裏面およびＦＰＣ１８の裏面には、それら双方に兼用された１枚の押さえ板１９が配置され、その押さえ板１９がビス止めされることにより、ＬＣＤユニット１７、キーユニット１６およびＦＰＣ１８がそれぞれ決められた位置に固定される。ここでは、この押さえ板１９は板金加工により形成されている。
【００２８】
このように、この実施形態によれば、ＦＰＣ１８の裏打ち板をなくし、キーユニット１６およびＦＰＣ１８を押さえ板１９でＬＣＤユニット１７とともに押さえる構造としたため、薄型化を確保しつつ部品点数、組立工数が削減される。
【図面の簡単な説明】
【００２９】
【図１】本発明の一実施形態としてのデジタルカメラの前面を斜め上から見て示した斜視図である。
【図２】本発明の一実施形態としてのデジタルカメラの背面を斜め上から見て示した斜視図である。
【図３】図１、図２に示すデジタルカメラの、ＬＣＤユニットおよびキーユニットの部分の分解斜視図である。
【図４】従来のデジタルカメラの、ＬＣＤユニットおよびキーユニットの部分の分解斜視図である。
【符号の説明】
【００３０】
１０    デジタルカメラ
１１    フラッシュ発光部
１２    シャッタボタン
１３    フロントカバー
１４    リアカバー
１６    キーユニット
１７    ＬＣＤユニット
１８    各種操作キー
１９  押さえ板
１４１  ＬＣＤ窓
１４２  開口
【図１】
2006246074.tif 000003
【図２】
2006246074.tif 000004
【図３】
2006246074.tif 000005
【図４】
2006246074.tif 000006